(57)【要約】      （修正有）【課題】消費者を魅せることが出来て、高付加価値のある二層旋転カップの提供。【解決手段】二層旋転カップ構造は、カップの旋転機能により、カップ面が図面、色、文字、符号、ロゴなどの変換能力を有し、カップが、新規で、趣、娯楽性、広告性という特徴を達成する。設計は、二層のカップを旋転することにより達成し、主に、外カップ６を旋転体とし、内カップ２は飲み物を入れる容器で、外カップの内縁面と内カップの外縁面上に、図案、色、文字、符号、或いは、ロゴなどのシールを貼設し、外カップのシール８上に開設された展開窓９１が、旋転運動により、内カップのシール上の図案、色、文字、符号、或いは、ロゴに対応し、高付加価値のカップが完成する。【選択図】図２
0003140470.tif 000002
【実用新案登録請求の範囲】
【請求項１】
二層旋転カップであって、全体の構造は、主に、蓋、内カップ、リング、定位素子、定位スリーブ、外カップ、結合ねじ、及び、内カップ外縁面と外カップ内縁面に貼合するシールからなり、その特徴は、
前記内カップ外縁面はシールを貼設し、底外縁は結合ねじにより螺合する螺接座以外に、周辺は、数個の定位座を設置して、前記定位素子を内に承置し、前記定位素子が前記外カップ内底面に設けられた数個の定位孔と対応し、
前記外カップは、内縁面にシールを貼設し、前記シールは1つ、或いは、1つ以上の展開窓、或いは、通空槽を開設し、前記外カップの底内縁に承槽を開設する以外に、周辺は、前記定位素子に対応して数個の定位孔を開設し、前記結合素子は前記定位スリーブにより、前記外カップの底部が直接、前記内カップ外縁の前記螺接座と螺合し、前記外カップのカップ口縁が前記内カップ縁部に対応する底槽縁を構成し、底部は前記結合素子により前記内カップと螺接する二層の旋転と枢合形態を構成することを特徴とする二層旋転カップ。
【請求項２】
前記内カップ外縁と前記外カップ内縁面に貼合するシールは、図案、色、文字、符号、ロゴ、或いは、混合方式であることを特徴とする請求項１に記載の二層旋転カップ。
【請求項３】
前記内カップは前記縁部底槽縁内にリングを内置して、前記外カップの端口で、漏れを防止する封合と、枢合旋転する構造を形成することを特徴とする請求項１に記載の二層旋転カップ。
【請求項４】
前記内カップ底部が承置する定位素子は、底部の定位ボールを有する内スリーブと弾力素子、或いは、軟性ゲル体の弾力により構成されることを特徴とする請求項１に記載の二層旋転カップ。
【考案の詳細な説明】
【技術分野】
【０００１】
本考案は二層旋転カップに関し、二層のカップの結合により、外カップが旋転運動し、カップ面が図案、色、文字、符号を生成する二層旋転カップに関する。
【背景技術】
【０００２】
カップ製品は、主に、飲み物を入れて飲むものである。相関する領域中で、大部分は、形態、材質（プラスチック、ガラス製品）を変化させるか、或いは、表面に絵を施したもの（セラミックカップ、プラスチックカップ等）があるが、それらは、美観達成するものである。
【０００３】
しかし、コップの機能とその構造は創作が少なく、カップ体の設計に限定され、カップ外表面の図案の変化のみである。よって、新しい造型により、消費者を魅せることができない。
【考案の開示】
【考案が解決しようとする課題】
【０００４】
本考案の目的は、上述の問題を改善するような二層旋転カップを提供することにある。
【課題を解決するための手段】
【０００５】
本考案の二層旋転カップは、カップ表面に設けられた図案、色、文字、符号、或いは、ロゴが二層構造により変化をもたらし、特に、可動する図案は趣がある。外カップの簡単な旋転効果により達成でき、コップの基本的な使用功能以外に、記憶に残る広告としても使用でき、また、娯楽性もある高付加価値の商品である。
【考案の効果】
【０００６】
本考案により、コップが高付加価値商品となる。
【考案を実施するための最良の形態】
【０００７】
図１、図２で示されるように、蓋１、内カップ２、リング３、定位素子４、定位スリーブ５、外カップ６、結合ねじ７、及び、内カップ外縁面と外カップ内縁面に貼合するシール８，９からなる。蓋１は内カップ２端口を覆い、内カップ２端口外縁は縁部２１を有し、縁部２１の内底は、底槽縁２２を開設し、これにより、底槽縁２２は丁度、リング３が設置でき、外カップ６の端口で、漏れを防止する封合と、枢合旋転する構造を形成する。
【０００８】
次に、内カップ２は開放式端口の形態で、内底面はいかなる孔も槽もなく、底外縁は、結合ねじ７を螺合する螺接座２３を設置し、且つ、螺接座２３の周辺は、複数の定位座２４を設置して、定位素子４を内に承置し、外カップ６内底面に設けられた非貫通式の定位孔６１と対応する。
【０００９】
図３を合わせて参照すると、定位素子４は内パーツ４１と弾力素子４２からなり、内パーツ４１は、開設される承槽４１１により弾力素子４３を係入し、且つ、内パーツ４１の底端は、定位ボール４１２を増設して、弾力素子４２の弾力特性により、外カップ６の旋転に基づいて、それぞれ、各定位孔６１に定位する。この他、定位素子４中の弾性素子４２は、本考案の実施例によると、軟性のゲル体A、或いは、図５で示されるようなばねBであり、弾力定位効果を達成するものであればよい。
【００１０】
図２、図３で示されるように、結合ねじ７は、定位スリーブ５により、外カップ６底面が開設する承槽６２に嵌合された後、直接、内カップ２底外縁に設けられた螺接座２３と螺合され、この螺合の緊締度は、内カップ２と外カップ６間の緊締度に関係する。これにより、結合ねじ７は適切な調整機能を有する。この他、外カップ６は全体構造において、カップ口６３が内カップ縁の底槽縁２２に対応し、更に、底部は結合素子７により内カップ２と螺接し、外カップ６が旋転と枢合の両層カップ形態を構成する。
【００１１】
図２、図４、及び、図６を参照すると、内カップ２外縁面と外カップ６内縁面を貼合するシール８、９は、図案、色、文字、符号、ロゴ、或いは、その混合である。外カップ６を旋転させると、外カップのシール９が開設した1つ、或いは、1つ以上の展開窓、或いは、通空槽９１が、内カップのシール８間で、旋転位置差を生成し、更に、対応関係は、一連の図案変換効果を呈し、本考案は、趣のあるカップを生成することができる。
【図面の簡単な説明】
【００１２】
【図１】本考案の好ましい実施例の外観図である。
【図２】本考案の各素子の分解構造図である。
【図３】本考案の結合後の断面図である。
【図４】本考案の局部拡大図である。
【図５】本考案の定位素子のもう1つの実施例の断面図である。
【図６】本考案の旋動後の図案変化を示す図である。
【符号の説明】
【００１３】
１  蓋
２  内カップ
２１  縁部
２２  底槽縁
２３  螺接座
２４  定位座
３  リング
４  定位素子
４１  内パーツ
４１１  承槽
４１２  定位ボール
４２  弾性素子
A  軟性ゲル体
B  ばね
５  定位スリーブ
６  外カップ
６１  定位孔
６２  承槽
６３  カップ辺縁
７  結合ねじ
８  内カップシール
９  外カップシール
９１  展開窓、或いは、通空槽
【図１】
0003140470.tif 000003
【図２】
0003140470.tif 000004
【図３】
0003140470.tif 000005
【図４】
0003140470.tif 000006
【図５】
0003140470.tif 000007
【図６】
0003140470.tif 000008